(57)【要約】【課題】適切なレベルの画像データが得られる撮像装置を提供する。【解決手段】撮像装置１は、被写体像を撮像して画像データを生成する撮像手段１４，３１，３２と、画像データのレベルに基づいて被写体輝度情報を算出する第１演算手段３２と、第１演算手段３２で算出された被写体輝度情報と、目標とする輝度情報との差を算出する第２演算手段３３と、被写体輝度情報を算出するために用いた画像データを第２演算手段３３で算出された差に基づくゲインで増幅する増幅手段３２とを備える。【選択図】図３
2009147588.tif 000002
【特許請求の範囲】
【請求項１】
被写体像を撮像して画像データを生成する撮像手段と、
前記画像データのレベルに基づいて被写体輝度情報を算出する第１演算手段と、
前記第１演算手段で算出された被写体輝度情報と、目標とする輝度情報との差を算出する第２演算手段と、
前記被写体輝度情報を算出するために用いた画像データを前記第２演算手段で算出された差に基づくゲインで増幅する増幅手段とを備えることを特徴とする撮像装置。
【請求項２】
請求項１に記載の撮像装置において、
撮影を指示する信号を発する操作部材と、
前記操作部材からの信号に応じて前記撮像手段が撮像し、該撮像手段が生成した画像データに基づいて当該画像データに前記増幅を行うように、前記撮像手段、前記第１演算手段、前記第２演算手段、および前記増幅手段をそれぞれ制御する制御手段とをさらに備えることを特徴とする撮像装置。
【請求項３】
請求項１に記載の撮像装置において、
表示装置に、増幅された前記画像データの画像を再生表示させる表示制御手段をさらに備え、
前記増幅手段は、前記撮像手段が生成した画像データに対し、前記表示制御手段が前記再生のための処理を行う前に当該画像データを増幅することを特徴とする撮像装置。
【請求項４】
請求項１に記載の撮像装置において、
不揮発性の記録媒体にデータを記録する記録制御手段をさらに備え、
前記増幅手段は、前記撮像手段が生成した画像データに対し、前記記録制御手段が当該画像データの記録のための処理を行う前に当該画像データを増幅することを特徴とする撮像装置。
【請求項５】
被写体像を撮像する撮像素子であって、撮像信号の読出し後も該撮像素子内に撮像信号が保持される撮像素子と、
前記撮像素子から読出された撮像信号のレベルに基づいて被写体輝度情報を算出する第１演算手段と、
前記第１演算手段で算出された被写体輝度情報と、目標とする輝度情報との差を算出する第２演算手段と、
前記撮像素子から再び読出される撮像信号を前記第２演算手段で算出された差に基づくゲインで増幅する増幅手段とを備えることを特徴とする撮像装置。
【請求項６】
請求項５に記載の撮像装置において、
撮像を指示する信号を発する操作部材と、
前記操作部材からの信号に応じて前記撮像素子が撮像し、該撮像素子から読出された撮像信号のレベルに基づいて、当該撮像信号に前記増幅を行うように、前記撮像素子、前記第１演算手段、前記第２演算手段、および前記増幅手段をそれぞれ制御する制御手段とをさらに備えることを特徴とする撮像装置。
【請求項７】
請求項５に記載の撮像装置において、
表示装置に、増幅された前記撮像信号の画像を再生表示させる表示制御手段をさらに備え、
前記増幅手段は、前記撮像素子から読出された撮像信号に対し、前記表示制御手段が前記再生のための処理を行う前に当該撮像信号を増幅することを特徴とする撮像装置。
【請求項８】
請求項５に記載の撮像装置において、
不揮発性の記憶媒体にデータを記録する記録制御手段をさらに備え、
前記増幅手段は、前記撮像素子から読出された撮像信号に対し、前記記録制御手段が当該撮像信号に対応するデータの記録のための処理を行う前に当該撮像信号を増幅することを特徴とする撮像装置。
【発明の詳細な説明】
【技術分野】
【０００１】
本発明は、撮像素子を有する撮像装置に関する。
【背景技術】
【０００２】
撮像素子を露光させ、撮像素子から露光後のデータを読み出し、該データを用いた演算を経て次の露光条件を決める技術が知られている（特許文献１参照）。
【０００３】
【特許文献１】特開平９−３０７８１８号公報
【発明の開示】
【発明が解決しようとする課題】
【０００４】
従来技術によれば、前回の撮像信号に基づいて次の撮像時に適用する条件を決めるため、適切なレベルの画像データが得られない場合があった。
【課題を解決するための手段】
【０００５】
（１）請求項１に記載の発明による撮像装置は、被写体像を撮像して画像データを生成する撮像手段と、画像データのレベルに基づいて被写体輝度情報を算出する第１演算手段と、第１演算手段で算出された被写体輝度情報と、目標とする輝度情報との差を算出する第２演算手段と、被写体輝度情報を算出するために用いた画像データを第２演算手段で算出された差に基づくゲインで増幅する増幅手段とを備えることを特徴とする。
（２）請求項１に記載の撮像装置はさらに、撮影を指示する信号を発する操作部材と、操作部材からの信号に応じて撮像手段が撮像し、該撮像手段が生成した画像データに基づいて当該画像データに増幅を行うように、撮像手段、第１演算手段、第２演算手段、および増幅手段をそれぞれ制御する制御手段とを備えてもよい。
（３）請求項１に記載の撮像装置はさらに、表示装置に、増幅された画像データの画像を再生表示させる表示制御手段を備えてもよい。この場合の増幅手段は、撮像手段が生成した画像データに対し、表示制御手段が再生のための処理を行う前に当該画像データを増幅することもできる。
（４）請求項１に記載の撮像装置はさらに、不揮発性の記録媒体にデータを記録する記録制御手段を備えてもよい。この場合の増幅手段は、撮像手段が生成した画像データに対し、記録制御手段が当該画像データの記録のための処理を行う前に当該画像データを増幅することもできる。
（５）請求項５に記載の発明による撮像装置は、被写体像を撮像する撮像素子であって、撮像信号の読出し後も該撮像素子内に撮像信号が保持される撮像素子と、撮像素子から読出された撮像信号のレベルに基づいて被写体輝度情報を算出する第１演算手段と、第１演算手段で算出された被写体輝度情報と、目標とする輝度情報との差を算出する第２演算手段と、撮像素子から再び読出される撮像信号を第２演算手段で算出された差に基づくゲインで増幅する増幅手段とを備えることを特徴とする。
（６）請求項５に記載の撮像装置はさらに、撮像を指示する信号を発する操作部材と、操作部材からの信号に応じて撮像素子が撮像し、該撮像素子から読出された撮像信号のレベルに基づいて、当該撮像信号に増幅を行うように、撮像素子、第１演算手段、第２演算手段、および増幅手段をそれぞれ制御する制御手段とを備えてもよい。
（７）請求項５に記載の撮像装置はさらに、表示装置に、増幅された撮像信号の画像を再生表示させる表示制御手段を備えてもよい。この場合の増幅手段は、撮像素子から読出された撮像信号に対し、表示制御手段が再生のための処理を行う前に当該撮像信号を増幅することもできる。
（８）請求項５に記載の撮像装置はさらに、不揮発性の記憶媒体にデータを記録する記録制御手段をさ備えてもよい。この場合の増幅手段は、撮像素子から読出された撮像信号に対し、記録制御手段が当該撮像信号に対応するデータの記録のための処理を行う前に当該撮像信号を増幅することもできる。
【発明の効果】
【０００６】
本発明による撮像装置では、適切なレベルの画像データが得られる。
【発明を実施するための最良の形態】
【０００７】
（第一の実施形態）
以下、図面を参照して本発明を実施するための最良の形態について説明する。図１は、本発明の一実施の形態による電子カメラ１を説明するブロック図である。図１において、撮影レンズ１１は、撮像素子１４の撮像面に被写体像を結像させる。
【０００８】
絞り駆動部１８は、ＣＰＵ２２からの指示に応じて絞り１２の開口サイズを変化させる。絞り１２は、光束を多段階に減衰させる減光部材である。したがって、撮像素子１４へ入射される光量が絞り１２によって制限される。シャッター駆動部１９は、ＣＰＵ２２からの指示に応じてシャッター羽根１３の開閉制御を行う。撮像素子１４の露光量は、シャッター羽根１３の開時間によって制御される。
【０００９】
撮像素子１４は、たとえば、ＣＭＯＳイメージセンサによって構成される。撮像素子１４は被写体像を撮像し、アナログ画像信号をＡＦＥ(Analog Front End)回路１５へ出力する。
【００１０】
ＡＦＥ回路１５は、アナログ画像信号に対するアナログ処理（信号増幅など）を行う。ＡＦＥ回路１５はさらに、内蔵するＡ／Ｄ変換回路によってアナログ処理後の画像信号をディジタル信号に変換する。ディジタル画像信号は、画像処理回路（以後ASIC(Application Specific Integrated Circuit)と呼ぶ）１６へ出力される。
【００１１】
ＴＧ（タイミングジェネレータ）１７は、ＣＰＵ２２からの指示に応じて所定のタイミング信号を生成する。ＴＧ１７は、撮像素子１４を駆動制御するタイミング信号を撮像素子１４へ、ＡＦＥ回路１５を駆動制御するタイミング信号をＡＦＥ回路１５へ、それぞれ送出する。
【００１２】
ＡＳＩＣ１６は、ディジタル画像信号に対して画像処理を施す。画像処理は、たとえば、輪郭強調や色補間処理、色温度調整（ホワイトバランス調整）処理、画像信号に対するフォーマット変換処理などを含む。ＡＳＩＣ１６はさらに、撮像画像を表示装置２３に表示させるための表示データを作成する。表示装置２３は液晶表示パネルなどによって構成され、上記作成された表示データによる再生画像を表示する。ＡＳＩＣ１６は、画像処理前の信号に対する増幅処理を行うことが可能に構成されている。
【００１３】
カードスロット２０はメモリインターフェースを含み、ＣＰＵ２２からの指示に応じてメモリカード５１などの不揮発性記憶媒体に対するアクセス制御を行う。すなわち、カードスロット２０は、ＣＰＵ２２の指示に基づいてメモリカード５１へのデータの記録を行う。また、カードスロット２０は、ＣＰＵ２２の指示に基づいてメモリカード５１のデータを読み出す。メモリカード５１は、カードスロット２０に対して着脱自在に構成される。メモリカード５１は、撮影画像のデータおよびその撮影情報を含む画像ファイルを記憶する。
【００１４】
ＣＰＵ２２は、電子カメラ１内の各部からの信号を受けて所定の演算を行うなどして、電子カメラ１０内の各部の動作を制御する。ＣＰＵ２２が実行するプログラムは、ＣＰＵ２２内の不揮発性メモリに格納されている。メモリ２１は、ＣＰＵ２２のワークメモリとして使用される他に、ＡＳＩＣ１６による画像処理前後および画像処理途中のデータを一時的に格納する際に使用される。データバス２５は、ＣＰＵ２２が電子カメラ１０内の各部との間で行う信号の送信および受信に使用される。
【００１５】
操作部材２４は、メインスイッチやスイッチを含み、各スイッチの操作信号をＣＰＵ２２へ送出する。半押しスイッチは、レリーズボタン（不図示）の半押し操作時にオンするスイッチである。全押しスイッチは、上記レリーズボタンの全押し操作時にオンするスイッチである。
【００１６】
本実施形態の電子カメラ１は、ＣＰＵ２２からの感度変更指示に応じて露光感度を所定範囲（たとえばＩＳＯ５０相当〜ＩＳＯ１０００相当）内で変更する。感度は、撮像素子１４で光電変換された信号の検出感度、もしくは増幅回路の増幅率を変化させる被制御量のことをいう。感度値は、相当するＩＳＯ感度値で表される。
【００１７】
電子カメラ１は、ＡＦＥ回路１５において光電変換信号に対する増幅利得を変化させたり、ＡＳＩＣ１６において画像処理前の画像信号に対する増幅利得を変化させたりすることにより、感度を変更可能に構成されている。
【００１８】
図２は、電子カメラ１の電源起動以降の動作タイミングを例示するタイムチャートである。メインスイッチオン時に電源が起動すると、ＣＰＵ２２は、時刻ｔ０においてメイン処理プログラムを起動させるとともに、各部の初期化を開始させる。初期化は、たとえば、フラグ類の初期設定、撮影レンズ１１の繰り出し、絞り１２の開口サイズの設定、表示装置２３に対する初期設定、ＴＧ１７に対する初期設定などを含む。
【００１９】
時刻ｔ１においてＴＧ１７の出力するタイミング信号に応じて、撮像素子１４およびＡＦＥ１５の駆動が開始する。これにより、撮像素子１４がスルー画像データの取得を開始する。スルー画像は、撮影指示前に取得するモニタ用画像である。電子カメラ１０は、レリーズボタンが半押し操作されるまでスルー画像の取得、および該スルー画像の表示装置２３による表示を繰り返すように構成されている。
【００２０】
ＣＰＵ２２は、時刻ｔ１から取得した撮像信号を用いて自動露出演算（ＡＥ）を行い、適正露出が得られるようにシャッター速度および絞り値を決定する。ＣＰＵ２２は、たとえば、平均測光方式によって被写体の明るさ（輝度）情報を検出する場合には、スルー画像を所定数（たとえば縦６×横８＝４８）の領域に分割し、各分割領域に含まれる信号値の平均値を算出する。ＣＰＵ２２は、所定数の領域ごとの平均値をさらに平均して得た値を被写体の輝度情報とする。ＣＰＵ２２は、この被写体輝度情報に基づいてシャッター速度および絞り値を決定する。
【００２１】
時刻ｔ２においてＴＧ１７の出力するタイミング信号に応じて、撮像素子１４が次フレームのスルー画像データを取得する。ここで、ＣＰＵ２２は、前フレームで取得した輝度情報に基づいて、スルー画について適正露出が得られるように撮像素子１４の蓄積時間および絞り値を制御する。
【００２２】
ＣＰＵ２２は、時刻ｔ２から取得した撮像信号を用いて自動フォーカス調節（ＡＦ）を行う。ＣＰＵ２２は、たとえば、スルー画像のうちフォーカス検出エリア（たとえば撮影画面中央）に対応する信号についての高周波数成分の積算値（いわゆる焦点評価値）を算出する。撮影レンズ１１に含まれるフォーカスレンズ（不図示）を移動させながら焦点評価値を算出することで、焦点評価値を最大にする位置へフォーカスレンズを移動させる。焦点評価値を最大にするフォーカスレンズの位置は、撮像素子１４によって撮像される被写体像のエッジのボケをなくし、画像のコントラストを最大にする合焦位置である。
【００２３】
時刻ｔ３においてＴＧ１７の出力するタイミング信号に応じて、撮像素子１４が次フレームのスルー画像データを取得する。ＣＰＵ２２は、時刻ｔ３から取得した撮像信号を用いて自動ホワイトバランス調節（ＡＷＢ）を行う。
【００２４】
ＣＰＵ２２は、たとえば、スルー画像信号を構成する色成分信号（たとえば、Ｒ信号、Ｇ信号、およびＢ信号）について各色成分ごとに平均値を算出し、これら平均値の色成分比率を所定の割合（たとえば１：１：１）にするように、ホワイトバランス調整係数を決定する。ホワイトバランス調整係数を示す情報はＡＳＩＣ１６へ送られる。
【００２５】
ＣＰＵ２２は、操作部材２４から半押し操作信号が入力されるまで、時刻ｔ１から時刻ｔ４までの処理を繰り返す。なお、表示装置２３によるスルー画表示は、所定のフレームレート（たとえば３０フレーム／秒）で行うため、たとえば自動露出演算（ＡＥ）に用いたスルー画像のみを表示し、他の自動フォーカス調節（ＡＦ）や自動ホワイトバランス調節（ＡＷＢ）に用いたスルー画像を表示しないように構成してよい。
【００２６】
半押し操作信号を受けたＣＰＵ２２は、時刻ｔ８のタイミングにおいて取得された最新の撮像信号を用いて自動フォーカス調節（ＡＦ）を行うとともに、時刻ｔ８前に決定した最新の露出条件（シャッター速度および絞り値、感度）を用意して撮影指示（全押し操作信号）を待つ。
【００２７】
全押し操作信号を受けたＣＰＵ２２は、時刻ｔ９においてＡＳＩＣ１６へ初期ディジタル増幅利得（Ｇａｉｎ(0)：画像処理前の画像信号に対する増幅利得）を送る。これにより、ＡＳＩＣ１６が初期ディジタル増幅利得Ｇａｉｎ(0)を保持する。時刻ｔ１０において、ＣＰＵ２２は、絞り駆動部１８およびシャッタ駆動部１９へ指示を送り、上記露出条件で絞り１２およびシャッター羽根１３を駆動させるとともに、ＴＧ１７へ指示を送り、シャッター羽根１３の開時間に合わせて撮像素子１４およびＡＦＥ１５を駆動させる。これにより、本画像取得用の撮像（本撮像）が行われる。
【００２８】
撮像後の時刻ｔ１１において、ＣＰＵ２２は感度補正を行わせる。図３は、感度補正を説明するための電子カメラ１の要部構成図である。図３において、ＡＧＣ部３１はＡＦＥ回路１５（図１）に対応する。また、ＲＡＷデータ・評価値作成部３２はＡＳＩＣ１６およびメモリ２１（図１）に対応する。測光演算部３３はＣＰＵ２２（図１）に対応する。撮影画像記録部３４はカードスロット２０（図１）に対応する。ＬＣＤ３５は表示装置２３（図１）に対応する。
【００２９】
ＡＧＣ部３１は、撮像素子１４からｔ１０からｔ１１の期間の本撮像により得られた光電変換信号（撮像信号）を受け取る（矢印１）。ＡＧＣ部３１は、本撮像により得られた撮像信号にアナログ処理およびＡ／Ｄ変換を行い、ディジタルデータである本画像ＲＡＷデータ（画像処理を行っていないＲＡＷデータ）を生成し、ＲＡＷデータ・評価値作成部３２へ送出する（矢印２）。なお、アナログ処理で行う光電変換信号に対するアナログ増幅利得は、ＣＰＵ２２の指示に基づいて設定される。ＣＰＵ２２は、ユーザが操作部材２４を操作することにより設定したＩＳＯ感度値に基づいてこのアナログ増幅利得を決定する。なお、ユーザがＩＳＯ感度をオートに設定した場合、ＣＰＵ２２は、事前（たとえばｔ５のタイミング）に取得した映像信号に基づいてアナログ増幅利得を決定する。
【００３０】
ＲＡＷデータ・評価値作成部３２は、測光評価値を算出して測光演算部３３へ送出する（矢印３）。ＲＡＷデータ・評価値作成部３２は、平均測光方式によって被写体の輝度情報を検出する場合には、１画面分の本画像ＲＡＷデータに基づいて各画素ごとの輝度値を求め、１画面分の輝度データを算出する。そして、ＲＡＷデータ・評価値作成部３２は、１画面分の輝度データを所定数（たとえば縦６×横８＝４８）の領域に分割し、各領域ごとに輝度値の平均値を算出し、領域平均輝度値を求める。そして、ＲＡＷデータ・評価値作成部３２は、各領域平均輝度値に領域に応じた重み付け係数を掛ける。そしてＲＡＷデータ・評価値作成部３２は、重み付けが行われた領域平均輝度値の平均値を求め、これを測光評価値とする。
【００３１】
測光演算部３３は、本画像ＲＡＷデータから算出される測光評価値と適正露出（目標露出）に対応する測光評価値との差ΔＥｖを次式（１）により算出する。
ΔＥｖ＝Ｌｏｇ２(Ａｖｇ／Ｔａｇ)                  （１）
ただし、Ａｖｇは測光評価値であり、Ｔａｇは目標値である。
測光演算部３３は、算出したΔＥｖをＲＡＷデータ・評価値作成部３２へ送出する（矢印４）。
【００３２】
ＲＡＷデータ・評価値作成部３２は、ΔＥｖに相当する感度補正を行う。具体的には、次式（２）によって決定したディジタル増幅利得Ｇａｉｎ(n)で画像信号を増幅する。
Ｇａｉｎ(n)＝Ｇａｉｎ(0)／２ΔＥｖ                  （２）
ただし、Ｇａｉｎ(0)は補正前（すなわち、時刻ｔ９（図３））に設定された初期ディジタル増幅利得である。
【００３３】
ＲＡＷデータ・評価値作成部３２は、該ＲＡＷデータ・評価値作成部３２内に保存されている本画像ＲＡＷデータに対してディジタル増幅利得Ｇａｉｎ(n)で増幅処理を行う。その後、図３における時刻ｔ１２において、ＲＡＷデータ・評価値作成部３２は、ＣＰＵ２２の制御に基づいて、増幅済の本画像ＲＡＷデータに対して画像処理を行う。ＲＡＷデータ・評価値作成部３２は、増幅済みの本画像ＲＡＷデータに対して記録用の画像処理（フォーマット変換処理など）を行い、記録用画像データを生成する。そしてＲＡＷデータ・評価値作成部３２は、ＣＰＵ２２の制御に基づいて、撮像画像記録部３４を駆動させ、記録用画像データをメモリカード５１に記録させる（矢印６）。また、ＲＡＷデータ・評価値作成部３２は、増幅済みの本画像ＲＡＷデータに対して表示用の画像処理を行い、表示用画像データを生成する。そしてＲＡＷデータ・評価値作成部３２は、ＣＰＵ２２の制御に基づいて、ＬＣＤ３５に表示用画像データの画像を表示させる（矢印５）。
【００３４】
以上説明した一連の動作によって静止画撮影が終了する。ＣＰＵ２２は、操作部材２４から次の半押し操作信号が入力されるまで、再び時刻ｔ１から時刻ｔ４までの処理を繰り返す。
【００３５】
以上説明した第一の実施形態によれば、次の作用効果が得られる。
（１）本画像ＲＡＷデータから算出される測光評価値と、目標値との差ΔＥｖを算出し、ΔＥｖにより初期ディジタル増幅利得Ｇａｉｎ(0)を補正することにより得られたディジタル増幅利得Ｇａｉｎ(n)により本画像ＲＡＷデータが増幅される。この結果、被写体輝度が変化することに起因して目標露出と異なる露出で撮像が行われた場合でも、露出オーバーや露出アンダーとなることなく、適切なレベルの画像データを得ることができる。
【００３６】
（２）全押し操作信号に応じて取得される本画像ＲＡＷデータに対して上記（１）の増幅を行うので、静止画撮像中に被写体輝度が変化したとしても、適切な明るさのレベルの画像データを得ることができる。
【００３７】
（３）表示装置２３に再生表示するための表示データの生成を行う前に、表示データの元となる本画像ＲＡＷデータに対して上記（１）の増幅を行うので、適切な明るさのレベルの再生画像を表示装置２３に表示させることができる。
【００３８】
（４）不揮発性の記憶媒体５１に記録するためのデータフォーマット変換処理を行う前に、記録データの元となる本画像ＲＡＷデータに対して上記（１）の増幅を行うので、適切な明るさのレベルの画像データを記憶媒体５１に記録することができる。
【００３９】
（第二の実施形態）
次に第二の実施形態について説明する。第二の実施形態において、第一の実施形態と構成や処理が同じである部分については適宜説明を省略し、第一の実施形態との相違点を中心に説明を行う。第一の実施形態の装置がΔＥｖに相当する感度補正をＲＡＷデータ・評価値作成部３２で行っていたのに対して、第二の実施形態の装置は、ΔＥｖに相当する感度補正をＡＧＣ部３１で行うこととする。画素信号の読み出しがＸ−Ｙアドレス方式で行われるＣＭＯＳタイプの撮像素子１４は、撮像信号の読出し後も該撮像素子内に撮像信号（蓄積信号）が保持されるので、撮像素子１４から同じ光電変換信号を複数回読出すことができる。蓄積信号とは、画素を構成するフォトダイオードに蓄積された電荷を電圧に変換した信号である。
【００４０】
図３において、第二の実施形態の測光演算部３３は、ΔＥｖに基づいてＡＧＣ部３１のアナログ増幅利得を補正する。すなわち、測光演算部３３は、以下の式（３）により補正済みアナログ増幅利得を算出する。
補正済みアナログ増幅利得＝補正前アナログ増幅利得／２ΔＥｖ  （３）
ただし、補正前アナログ増幅利得は、ｔ１０からｔ１１の期間における本撮像の際にＡＧＣ部３１に設定されていた増幅利得である。ＡＧＣ部３１は、撮像素子１４から再び光電変換信号（撮像信号）を受け取る（矢印１）。受け取る撮像信号は、測光評価値を算出するために前回受け取った信号と同じものである。ＡＧＣ部３１は、上式（３）によって決定した補正済アナログ増幅利得で撮像信号を増幅する。
【００４１】
ＡＧＣ部３１は、補正済アナログ増幅利得で増幅した撮像信号をＡ／Ｄ変換し、本画像ＲＡＷデータをＲＡＷデータ・評価値作成部３２へ送出する（矢印２）。
【００４２】
この場合のＲＡＷデータ・評価値作成部３２は、本画像ＲＡＷデータデータに対して画像処理を行う。ＲＡＷデータ・評価値作成部３２は、本画像ＲＡＷデータに対して記録用の画像処理（フォーマット変換処理など）を行い、記録用画像データを生成する。そしてＲＡＷデータ・評価値作成部３２は、ＣＰＵ２２の制御に基づいて、撮像画像記録部３４を駆動させ、記録用画像データをメモリカード５１に記録させる（矢印６）。また、ＲＡＷデータ・評価値作成部３２は、本画像ＲＡＷデータに対して表示用の画像処理を行い、表示用画像データを生成する。そしてＲＡＷデータ・評価値作成部３２は、ＣＰＵ２２の制御に基づいて、ＬＣＤ３５に表示用画像データの画像を表示させる（矢印５）。
【００４３】
以上説明した第二の実施形態によれば、第一の実施形態と同様の作用効果をアナログ処理で得ることができる。すなわち、ΔＥｖに相当する感度補正をＡＧＣ部３１による増幅利得の変更によって実現することができる。
【００４４】
（変形例１）
上述した説明では、平均測光方式を例に説明したが、中央部重点測光方式など他の測光方式で行ってもよい。
【００４５】
（変形例２）
以上の説明では、本撮影画像について感度補正を行った上で表示装置２３に表示する（またはメモリカード５１に保存する）ようにしたが、スルー画像においても感度補正を行った後で表示装置２３に表示させるようにしてもよい。この場合には、表示データを生成する元となるスルー画像信号について、ディジタル増幅利得Ｇａｉｎ(n)に相当する利得で増幅すればよい。感度補正をスルー画像にも適用することで、適切な明るさのスルー画像を表示させることができる。
【００４６】
以上の説明はあくまで一例であり、上記の実施形態の構成に何ら限定されるものではない。
【図面の簡単な説明】
【００４７】
【図１】本発明の一実施の形態による電子カメラを説明するブロック図である。
【図２】電源起動以降の動作タイミングを例示するタイムチャートである。
【図３】感度補正を説明するための要部構成図である。
【符号の説明】
【００４８】
１…電子カメラ
１４…撮像素子
１５（３１）…ＡＦＥ回路
１６（３２）…ＡＳＩＣ
２０（３４）…カードスロット
２１…メモリ
２２（３３）…ＣＰＵ
２３（３５）…表示装置
２４…操作部材
５１…メモリカード
【図１】
2009147588.tif 000003
【図２】
2009147588.tif 000004
【図３】
2009147588.tif 000005